Podtech/llm-jp-corpus-v4-ja_patent huggingface dataset:
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
Ａ）５重量％〜９９重量％の、式（１）の１種以上のモノマー単位を含有するコポリカーボネート
【化１】
2017524051.tif 000001
［式中、
Ｒ１は、水素またはＣ１〜Ｃ４アルキル、
Ｒ２は、Ｃ１〜Ｃ４アルキル、および
ｎは、０、１、２または３である］、
Ｂ）９５重量％〜１重量％の、一般式（２）の１種以上のモノマー単位を含有する（コ）ポリカーボネート：
【化２】
2017524051.tif 000002
［式中、
Ｒ３は、Ｈ、直鎖状または分岐鎖状Ｃ１〜Ｃ１０アルキル、および
Ｒ４は、直鎖状または分岐鎖状Ｃ１〜Ｃ１０アルキルである］
を含んでなるコポリカーボネート組成物であって、
成分Ｂ）が、式（１）のモノマー単位を一切有さず；
成分Ｂが、成分Ｂの総重量に対して総量０．９０重量％未満の、一般式（Ｉ）の少なくとも１種の環状オリゴマーを含有し、
【化３】
2017524051.tif 000003
［式中、
ｎは、２〜６の整数であり、および
Ｚは、式（Ｉａ）のラジカルである
【化４】
2017524051.tif 000004
［式中、
Ｒ５およびＲ６は、それぞれ独立してＨ、またはＣ１〜Ｃ８アルキル、および
Ｘは、単結合、Ｃ１〜Ｃ６アルキルによって置換されてもよい、Ｃ１〜Ｃ６アルキレン、Ｃ２〜Ｃ５アルキリデン、またはＣ５〜Ｃ６シクロアルキリデンである］］
かつ、成分Ｂが、一般式（ＩＩ）〜（Ｖ）の１種以上の構造を含有し、
【化５】
2017524051.tif 000005
［式中、
フェニル環は、独立して、Ｃ１〜Ｃ８アルキルまたはハロゲンで一または二置換されてもよく、かつ
Ｘは、式（Ｉａ）のラジカルとしてすでに定義されている］、
該構造（Ｉ）の量が、沈殿およびそれに続く定量的ＨＰＬＣによって決定され、かつ、成分Ｂ中の式（ＩＩ）〜（Ｖ）の構造の存在が、コポリカーボネート組成物の完全加水分解後に定量的ＨＰＬＣによって決定される、コポリカーボネート組成物。
【請求項２】
成分Ｂ中の前記構造単位（ＩＩ）〜（Ｖ）が、コポリカーボネート組成物の完全加水分解後のＨＰＬＣによって決定された、５０ｐｐｍ〜１５００ｐｐｍの量で存在している、請求項１に記載のコポリカーボネート組成物。
【請求項３】
成分Ｂ中の式（Ｉ）の環状オリゴマーの総量に対して、一般式（Ｉ）の１種以上の環状オリゴマーが、０．２０重量％〜０．８０重量％の総量で成分Ｂ中に存在しかつ当該式（Ｉ）の環状オリゴマーが最も一般的にはｎ＝３である、請求項１または２に記載のコポリカーボネート組成物。
【請求項４】
Ｘが、単結合またはイソプロピリデンであり、Ｒ５およびＲ６が、それぞれ独立してＨまたはＣ１〜Ｃ４アルキルである、請求項１〜３のいずれか一項に記載のコポリカーボネート組成物。
【請求項５】
前記コポリカーボネート中の式（１）のモノマー単位の割合が、（そこに存在しているジフェノールモノマー単位の総量に対して）０．１〜８８モル％である、請求項１〜４のいずれか一項に記載のコポリカーボネート組成物。
【請求項６】
成分Ａおよび成分Ｂの少なくとも１つが式（４）のモノマー単位を追加的に含有する、請求項１〜６のいずれか一項に記載のコポリカーボネート組成物。
【化６】
2017524051.tif 000006
［式中、
Ｒ７およびＲ８は、それぞれ独立して、Ｈ、Ｃ１〜Ｃ１８アルキル、Ｃ１〜Ｃ１８アルコキシ、ＣｌもしくはＢｒ等のハロゲン、またはそれぞれ置換されていてもよいアリールもしくはアラルキルであって、かつ、
Ｙは、単結合、−ＳＯ２−、−ＣＯ−、−Ｏ−、−Ｓ−、Ｃ１〜Ｃ６アルキレンまたはＣ２〜Ｃ５アルキレン、あるいはＣ６〜Ｃ１２アリーレンであって、これらはヘテロ原子を含有するさらなる芳香族環に縮合されてもよい］
【請求項７】
成分Ａおよび／または成分Ｂが、末端基として式（３ａ）および／または（３ｂ）の構造単位を含有する、請求項１〜６のいずれか一項に記載のコポリカーボネート組成物。
【化７】
2017524051.tif 000007
【請求項８】
成分Ａが、一般式（１ｂ）および（４ｂ）の化合物に由来するモノマー単位を含有する、請求項１〜７のいずれか一項に記載のコポリカーボネート組成物。
【化８】
2017524051.tif 000008
【請求項９】
化合物、ブレンド、ベゼル、反射鏡、ウィンカー、レンズ、スクリーンカバー／ディスプレイカバーおよびＬＥＤ用途等の成形品、押出物、フィルム、フィルム積層体または共押出層の製造のための請求項１〜８のいずれか一項に記載のコポリカーボネート組成物の使用。
【請求項１０】
請求項１〜８のいずれか一項に記載のコポリカーボネート組成物から得ることができる化合物、ブレンド、成形品、押出物、フィルムもしくはフィルム積層体、または請求項１〜８のいずれか一項に記載のコポリカーボネート組成物から得ることができる共押出層を含んでなる成形品、押出物もしくはフィルム。
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
（ａ）光散乱法により決定される、５０ｎｍ〜７００ｎｍの間の体積基準粒子径（Ｄｖ５０）を有する、アリピプラゾールプロドラッグ粒子の集団、ならびに
（ｂ）アリピプラゾールプロドラッグ粒子の表面上に吸着する吸着成分、およびアリピプラゾールプロドラッグの可溶化に有効である、遊離成分を含む、少なくとも１種の表面安定剤
を含む組成物であって、
アリピプラゾールプロドラッグ対表面安定剤の比が、１７：１から２６：１の間であり、かつ
該アリピプラゾールプロドラッグは、式：
【化１】
2017524021.tif 000001
（式中、ｎは、ゼロまたは２０未満の整数である）を有しており、
前記少なくとも１種の表面安定剤が、カルボキシメチルセルロースおよびポリオキシエチレンソルビタン脂肪酸エステルからなる群から選択される
ことを特徴とする、組成物。
【請求項２】
前記アリピプラゾールプロドラッグの式中、ｎは１０に等しい
ことを特徴とする、請求項１に記載の組成物。
【請求項３】
前記少なくとも１種の表面安定剤の遊離成分が、組成物の０％（ｗ／ｗ）より多く、かつ３％（ｗ／ｗ）を超えない範囲を構成している
ことを特徴とする、請求項１または２に記載の組成物。
【請求項４】
前記体積基準粒子分布サイズ（Ｄｖ５０）が、１７５ｎｍ〜３５０ｎｍの間である
ことを特徴とする、請求項１〜３のいずれか一項に記載の組成物。
【請求項５】
前記少なくとも１種の表面安定剤が、ポリオキシエチレンソルビタン脂肪酸エステルである
ことを特徴とする、請求項１〜４のいずれか一項に記載の組成物。
【請求項６】
前記少なくとも１種の表面安定剤が、ポリソルベート２０である
ことを特徴とする、請求項１〜４のいずれか一項に記載の組成物。
【請求項７】
一次表面安定剤および少なくとも１種の二次表面安定剤を含む
ことを特徴とする、請求項１〜６のいずれか一項に記載の組成物。
【請求項８】
アリピプラゾールプロドラッグ粒子の集団が分散している、分散媒をさらに含み、
分散媒中に、表面安定剤の遊離成分が、溶解している、さもなければ、分散している
ことを特徴とする、請求項１〜７のいずれか一項に記載の組成物。
【請求項９】
デポ注射剤としての投与用に適応している
ことを特徴とする、請求項１〜８のいずれか一項に記載の組成物。
【請求項１０】
注射デバイス内に入れた状態で、提供され、
任意に、該注射デバイスは、プレフィルドシリンジ、自己注射器、無針シリンジ、あるいは、デュアルチャンバシリンジである
ことを特徴とする、請求項１〜９のいずれか一項に記載の組成物。
【請求項１１】
アリピプラゾールプロドラッグ組成物が、デュアルチャンバシリンジの一方のチャンバ内に入れた状態で、提供され、そして、
デュアルチャンバシリンジの他方のチャンバ中には、第２の組成物が提供されている
ことを特徴とする、請求項１０に記載の組成物。
【請求項１２】
（ｉ）  前記第２の組成物が、前記アリピプラゾールプロドラッグ組成物よりも、少なくとも２００ｎｍ、少なくとも３００ｎｍ、少なくとも４００ｎｍ、少なくとも５００ｎｍ、少なくとも６００ｎｍ、少なくとも７００ｎｍ、少なくとも８００ｎｍ、少なくとも９００ｎｍ、少なくとも１０００ｎｍ、少なくとも１５００ｎｍ、少なくとも２０００ｎｍ、少なくとも５０００ｎｍ、少なくとも１０，０００ｎｍ大きい体積基準粒子サイズ（Ｄｖ５０）を有するアリピプラゾールプロドラッグ組成物である;  あるいは
（ii）  前記 第２の組成物が、アリピプラゾールプロドラッグ以外の非定型抗精神病薬である
ことを特徴とする、請求項１１に記載の組成物。
【請求項１３】
液体媒体中での復元用の粉末として製剤化されており、
その際、再分散されたアリピプラゾールプロドラッグ粒子は、１０００ｎｍより小さな体積基準粒子サイズ（Ｄｖ５０）を有するように、アリピプラゾールプロドラッグ粒子の集団が液体媒体中に再分散する
ことを特徴とする、請求項１〜１２のいずれか一項に記載の組成物。
【請求項１４】
アリピプラゾールプロドラッグ以外の追加的な非定型抗精神病薬をさらに含んでいる
ことを特徴とする、請求項１〜１０ならびに１３のいずれか一項に記載の組成物。
【請求項１５】
該組成物の粘度が、２５℃の温度で測定した場合、１００ｓ-1のせん断速度において、０．０１Ｐａ・ｓ（１０ｃＰ）未満である
ことを特徴とする、請求項１〜１１ならびに１４のいずれか一項に記載の組成物。
【請求項１６】
統合失調症、双極性Ｉ型障害、大鬱病性障害（ＭＤＤ）、自閉性障害、統合失調症または双極性Ｉ型障害に関連した興奮から選択される、哺乳動物内の病状の治療用である
ことを特徴とする、請求項１〜１５のいずれか一項に記載の組成物。
【請求項１７】
光散乱法により決定される、１７５ｎｍ〜３５０ｎｍの間の体積基準粒子分布サイズ（Ｄｖ５０）を有する、式：
【化２】
2017524021.tif 000002
の粒子の集団からなる組成物であり、
前記粒子対ポリソルベート２０の比が、１７：１である
ことを特徴とする、請求項１に記載の組成物。
【請求項１８】
キレート剤、等張化剤、ならびに、緩衝剤をさらに含んでいる
ことを特徴とする、請求項１７に記載の組成物。
【請求項１９】
該キレート剤は、クエン酸ナトリウムであり、また
該等張化剤は、塩化ナトリウムである
ことを特徴とする、請求項１８に記載の組成物。
【請求項２０】
該組成物は、
ａ）  ２６％ｗ／ｗの下記式のアリピプラゾールプロドラッグ；
【化３】
2017524021.tif 000003
ｂ）  １．５３％ｗ／ｗのポリソルベート２０；
ｃ）  ０．７６％ｗ／ｗのクエン酸ナトリウム；
ｄ）  ０．３１％ｗ／ｗの塩化ナトリウム；及び
ｅ）  ０．１５％ｗ／ｗのリン酸ナトリウム緩衝剤；
ｆ）  ７１．２５％ｗ／ｗの注射液用の水
からなる、注射用の組成物であり、
その際、該化合物は、光散乱法により決定される、１００ｎｍまたは２００ｎｍの体積基準粒子分布サイズ（Ｄｖ５０）を有する、粒子の集団として、提供されている
ことを特徴とする、請求項１に記載の組成物。
【請求項２１】
該組成物は、
ａ）  ２６％ｗ／ｗの下記式のアリピプラゾールプロドラッグ；
【化４】
2017524021.tif 000004
ｂ）  １％ｗ／ｗのポリソルベート２０；
ｃ）  ０．７６％ｗ／ｗのクエン酸ナトリウム；
ｄ）  ０．３１％ｗ／ｗの塩化ナトリウム；及び
ｅ）  ０．１５％ｗ／ｗのリン酸ナトリウム緩衝剤；
ｆ）  ７１．７８％ｗ／ｗの注射液用の水
からなる、組成物であり、
その際、該化合物は、光散乱法により決定される、４５０ｎｍの体積基準粒子分布サイズ（Ｄｖ５０）を有する、粒子の集団として、提供されている
ことを特徴とする、請求項１に記載の組成物。
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
井戸ポンプを有する井戸と、
前記井戸ポンプを井戸出力パイプと接続する貯蔵タンクと、
前記井戸出力パイプと直列に配置した井戸背圧変換器と、
前記井戸出力パイプと直列に、かつ前記井戸背圧変換器より下流に配置した流れ調整器と、
前記井戸ポンプを制御するように構成され、前記井戸背圧変換器から井戸ポンプ背圧情報を受け取るように構成され、前記井戸ポンプ背圧情報に基づいて、前記井戸ポンプを制御するように構成された制御パネルと、
を含むシステム。
【請求項２】
前記井戸出力パイプ内で流れが検出されたかどうかの情報を前記制御パネルに送るように構成された、前記井戸出力パイプ内の流れ検出器をさらに含み、
前記制御パネルは、前記流れ検出器が、流れが検出されないという情報を送った場合に、前記井戸ポンプを停止させるようにさらに構成され、井戸枯渇タイマを始動させるようにさらに構成され、前記井戸枯渇タイマがタイムアウトするまで、前記井戸ポンプを停止した状態に保つようにさらに構成される、請求項１に記載のシステム。
【請求項３】
前記制御パネルは、井戸背圧が第１の背圧未満であり、かつ第２の背圧よりも大きい場合に、中位井戸抽出タイマを始動させるようにさらに構成され、前記第２の背圧は、前記第１の背圧未満であり、
前記制御パネルは、前記中位井戸抽出タイマがタイムアウトした場合に、前記井戸ポンプを停止させるようにさらに構成される、請求項１または２に記載のシステム。
【請求項４】
前記制御パネルは、前記井戸背圧が前記第２の背圧未満の場合に、低位井戸抽出タイマを始動させるようにさらに構成され、
前記制御パネルは、前記低位井戸抽出タイマがタイムアウトした場合に、前記井戸ポンプを停止させるようにさらに構成される、請求項３に記載のシステム。
【請求項５】
前記制御パネルは、前記中位井戸抽出タイマが始動し、タイムアウトするか、または前記低位井戸抽出タイマが始動し、タイムアウトするか、または前記貯蔵タンクが満たされた場合に、井戸回復タイマを始動させるようにさらに構成され、
前記制御パネルは、前記井戸回復タイマがタイムアウトするまで、前記井戸ポンプを停止した状態に保つようにさらに構成される、請求項４に記載のシステム。
【請求項６】
前記貯蔵タンクから取水するように構成された昇圧ポンプと、
前記昇圧ポンプと貯蔵タンク出力パイプで接続する圧力タンクと、
をさらに含み、
前記制御パネルは、前記圧力タンク内の圧力が第１のタンク圧力未満に落ちたときに、前記昇圧ポンプを始動させるようにさらに構成される、請求項１に記載のシステム。
【請求項７】
低産出量井戸システムを動作させる方法であって、
制御パネルにおいて、井戸背圧変換器から井戸ポンプ背圧情報を受け取るステップと、
前記井戸ポンプ背圧情報に基づいて井戸ポンプを制御するステップと、
を含む方法。
【請求項８】
流れ検出器から前記制御パネルに情報を送り、前記情報は、井戸出力パイプ内で流れが検出されたかどうかに関し、前記流れ検出器は、井戸の出力パイプ内に配置されるステップと、
前記流れ検出器が、流れが検出されないという情報を送った場合に、前記井戸ポンプを停止させるステップと、
井戸枯渇タイマを始動させるステップと、
前記井戸枯渇タイマがタイムアウトするまで、前記井戸ポンプを停止した状態に保つステップと、
をさらに含む、請求項７に記載の方法。
【請求項９】
前記井戸背圧が第１の背圧未満であり、かつ第２の背圧よりも大きい場合に、中位井戸抽出タイマを始動させ、前記第２の背圧は、前記第１の背圧未満であるステップと、
前記井戸抽出タイマがタイムアウトした場合に、前記井戸ポンプを停止させるステップと、
をさらに含む、請求項７または８に記載の方法。
【請求項１０】
前記井戸背圧が前記第２の背圧未満の場合に、低位井戸抽出タイマを始動させるステップと、
前記低位井戸抽出タイマがタイムアウトした場合に、前記井戸ポンプを停止させるステップと、
をさらに含む、請求項９に記載の方法。
【請求項１１】
前記中位井戸抽出タイマが始動し、タイムアウトするか、または前記低位井戸抽出タイマが始動し、タイムアウトするか、または貯蔵タンクが満たされた場合に、井戸回復タイマを始動させるステップと、
前記井戸回復タイマがタイムアウトするまで、前記井戸ポンプを停止した状態に保つステップと、
をさらに含む、請求項１０に記載の方法。
【請求項１２】
圧力タンク内の圧力が第１のタンク圧力未満に落ちたときに、第１の昇圧ポンプを始動させるステップをさらに含む、請求項７に記載の方法。
【請求項１３】
前記圧力タンク内の圧力が、第２のタンク圧力未満に落ちた場合に、第２の昇圧ポンプを始動させ、前記第２のタンク圧力は、前記第１のタンク圧力よりも低いステップをさらに含む、請求項１２に記載の方法。
【請求項１４】
前記第１の昇圧ポンプおよび前記第２の昇圧ポンプを止めるステップと、
前記圧力タンク内の圧力が、第２の時間にわたって前記第１のタンク圧力未満に落ちた場合に、第２の昇圧ポンプを始動させるステップと、
前記圧力タンク内の圧力が、第２の時間にわたって前記第２のタンク圧力未満に落ちた場合に、第１の昇圧ポンプを始動させるステップと、
をさらに含む、請求項１３に記載の方法。
【手続補正書】
【提出日】平成30年6月7日(2018.6.7)
【手続補正１】
【補正対象書類名】特許請求の範囲
【補正対象項目名】全文
【補正方法】変更
【補正の内容】
【特許請求の範囲】
【請求項１】
少なくとも１つのポリ（エチレングリコール）化合物と、
一般構造ポリ（エチレングリコール）−ポリ（プロピレングリコール）−ポリ（エチレングリコール）またはポリ（プロピレングリコール）−ポリ（エチレングリコール）−ポリ（プロピレングリコール）を有する、少なくとも１つのブロックコポリマーと、
少なくとも１つのジイソシアネート化合物またはポリイソシアネート化合物と、
少なくとも１つの２を超える平均官能価を有する多官能性化合物またはそのような多官能性化合物の混合物と、
下記式Ｂの構造を有する鎖延長剤と、
【化１】
2017524062.tif 000001
（式Ｂ中、Ｑは、ＣＯＯＨ、ＯＨ、ＳＨまたはＮＨ２を表し；
Ｚは、Ｃ、Ｃ＝Ｏ、ＳまたはＮを表し；
Ｒは、アルキル基（通常１〜５個の炭素原子の炭素骨格を有する低級アルキル基）を表し；
ｎは１〜２５の整数を表す）
を含む混合物を反応させることにより調製されるポリウレタンポリマー組成物であって、
前記混合物の０．５〜４重量％が、前記少なくとも１つの多官能性化合物から形成されており、かつ、前記混合物の０．５〜２０重量％が、前記鎖延長剤から形成されており、
前記反応体を実質的に無水条件下で反応させる、ポリウレタンポリマー組成物。
【請求項２】
前記混合物の少なくとも９０重量％が、請求項１に定められている成分から形成されている、請求項１に記載のポリマー。
【請求項３】
前記混合物の５重量％以下が、２を超える平均官能価を有する化合物から形成されている、請求項１に記載のポリマー。
【請求項４】
前記混合物の少なくとも０．７重量％が、前記少なくとも１つの多官能性化合物から形成されている、請求項１に記載のポリマー。
【請求項５】
前記少なくとも１つの、エチレンオキシドとプロピレンオキシドとのコポリマーが、５０００未満の数平均分子量を有する、請求項１に記載のポリマー。
【請求項６】
前記混合物の３０〜７０重量％が、少なくとも１つのポリ（エチレングリコール）化合物から形成されており、
前記混合物の１０〜４０重量％が、少なくとも１つのエチレンオキシド−プロピレンオキシド−エチレンオキシドのブロックコポリマーから形成されており、
前記混合物の１０〜３０重量％が、少なくとも１つのジイソシアネート化合物またはポリイソシアネート化合物から形成されており、
前記混合物の０．５〜４重量％が、少なくとも１つの２を超える平均官能価を有する多官能性化合物またはそのような多官能性化合物の混合物から形成されており、
前記混合物の０．５〜２０重量％が、ジプロピレングリコールから形成されている、請求項１に記載のポリマー。
【請求項７】
前記混合物の少なくとも５０重量％が、前記ＰＥＧ化合物と前記エチレンオキシド−プロピレンオキシド−エチレンオキシドのブロックコポリマーとの組み合わせから形成されている、請求項６に記載のポリマー。
【請求項８】
コンタクトレンズの形態の、請求項１に記載のポリマー。
【請求項９】
混合物から調製されるポリウレタンキセロゲルであって、前記混合物は、
ｉ）５０００〜７０００の数平均分子量を有する高分子量ポリ（エチレングリコール）化合物と；
ｉｉ）４５００以下の数平均分子量を有する低分子量ポリ（エチレングリコール）化合物と；
ｉｉｉ）少なくとも１つのジイソシアネートと；
ｉｖ）９０〜７００の数平均分子量を有するポリオールと；
ｖ）単官能ポリ（エチレングリコール）化合物と；
ｖｉ）酸化防止剤と；を含み、
前記混合物の３０〜７０重量％が、前記高分子量ポリ（エチレングリコール）化合物から形成されており、
前記混合物の１０〜５０重量％が、前記低分子量ポリ（エチレングリコール）化合物から形成されており、
前記混合物の１０〜５０重量％が、前記少なくとも１つのジイソシアネートから形成されており、
前記混合物の０．５〜４重量％が、前記ポリオールから形成されており、
前記混合物の０．５〜２重量％が、前記単官能ポリ（エチレングリコール）化合物から形成されており、
前記混合物の０．１〜２重量％が、前記酸化防止剤から形成されている、ポリウレタンキセロゲル。
【請求項１０】
前記混合物の１〜２重量％が、前記ポリオールから形成されている、請求項９に記載のポリウレタンキセロゲル。
【請求項１１】
前記高分子量ポリ（エチレングリコール）化合物が、５５００〜６５００、好適には６０００±２５０の数平均分子量を有する、請求項９に記載のポリウレタンキセロゲル。
【請求項１２】
前記単官能ポリ（エチレングリコール）化合物が、ＰＥＧＭＥである、請求項９に記載のポリウレタンキセロゲル。
【請求項１３】
上記記載の成分から本質的になる混合物から調製される、請求項９に記載のポリウレタンキセロゲル。
【請求項１４】
ポリウレタンキセロゲルを成形品の形態で調製する方法であって、
（ｉ）請求項１〜７および請求項９〜１３のいずれか一項に記載の混合物を調製する工程と；
（ｉｉ）工程（ｉ）で形成された前記混合物を、実質的に無水の材料を用いて反応させ、ポリウレタンキセロゲルを形成する工程と；
（ｉｉｉ）ポリウレタンキセロゲルを反応鋳造成形し、成形品を形成する工程と；
を含む、調製方法。
【請求項１５】
１．請求項１〜７および請求項９〜１３のいずれか一項に記載の混合物を調製する工程と；
２．工程ｉ）で形成された反応混合物をコンタクトレンズの鋳型に入れる工程と；
３．前記反応混合物を、反応および硬化させる工程と；
４．前記鋳型からコンタクトレンズを取り出し；水性液体において、前記コンタクトレンズを水和させる工程と；
を含む、コンタクトレンズの調製方法。
【手続補正書】
【提出日】平成30年7月24日(2018.7.24)
【手続補正１】
【補正対象書類名】特許請求の範囲
【補正対象項目名】請求項２３
【補正方法】変更
【補正の内容】
【請求項２３】
化合物（ｃ）が１５．４〜１９．８ＭＰａ１／２のヒルデブラント溶解度パラメーターδＴを有する、請求項１〜２２のいずれかに記載のポリオレフィン複合体。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
下記の一般式（Ｉ）：
【化１】
2017524692.tif 000001
［式中、
（ｉ）Ｒｆ３はＦであり、Ｒｆ４はＣＦ３であり、かつ
Ｒｆ１及びＲｆ２は独立して、
（ａ）１〜２個の炭素原子を有し、かつ場合により少なくとも１個の鎖状に連結されたヘテロ原子を含むか、又は
（ｂ）共に結合して４〜８個の炭素原子を有する環状構造を形成し、かつ場合により１個以上の鎖状に連結されたヘテロ原子を含む、
パーフルオロアルキル基であるか、あるいは
（ｉｉ）Ｒｆ３はＣＦ３であり、Ｒｆ４はＦであり、かつ
Ｒｆ１及びＲｆ２は独立して、
（ａ）１〜８個の炭素原子を有し、かつ場合により少なくとも１個の鎖状に連結されたヘテロ原子を含むか、又は
（ｂ）共に結合して４〜８個の炭素原子を有する環状構造を形成し、かつ場合により１個以上の鎖状に連結されたヘテロ原子を含む、
パーフルオロアルキル基であり、かつ
式中、
Ｒｆｈは、飽和若しくは不飽和であってもよく、かつ場合により１個以上の鎖状に連結されたヘテロ原子を含む、炭素原子数１〜１０個の、直鎖状、分枝状、若しくは環状の、アルキル基又はフルオロアルキル基である］
で表される、ハイドロフルオロエーテル化合物。
【請求項２】
請求項１に記載のハイドロフルオロエーテル化合物を含む作動流体であって、前記ハイドロフルオロエーテル化合物が、前記作動流体中に、前記作動流体の総重量に基づいて少なくとも５０重量％の量で存在する、前記作動流体。
【請求項３】
熱伝達のための装置であって、
デバイスと、
前記デバイスへ又は前記デバイスから熱を伝達するための機構と、
を含み、前記機構が、請求項１に記載のハイドロフルオロエーテル化合物を含む熱伝達流体を含む、前記装置。
【手続補正書】
【提出日】平成30年8月7日(2018.8.7)
【手続補正１】
【補正対象書類名】特許請求の範囲
【補正対象項目名】全文
【補正方法】変更
【補正の内容】
【特許請求の範囲】
【請求項１】
ガラス基板であって、
シリコン薄膜トランジスタ素子を形成することができるＡ面、及び
均一な有機膜を有するＢ面であって、前記有機膜が、接触帯電又は摩擦帯電による電圧の発生を抑制する成分を含む、Ｂ面を備え、
ボロアルミノシリケートを含み、２．４５ｇ／ｃｍ３未満の密度を有することを特徴とするガラス基板。
【請求項２】
前記有機膜が、前記Ｂ面の親水性を低下させる有機化合物、プロトン化可能なアミン基又は他のカチオン基を含む有機化合物、前記ガラス基板Ｂ面の表面摩擦係数を低下させる有機化合物、表面電子移動度を向上させるオルガノシランを含む有機化合物、及びこれ等の組み合わせから成る群より選択される化合物を含むことを特徴とする、請求項１記載のガラス基板。
【請求項３】
前記有機膜が、少なくとも２個の炭素を有する長鎖アルキル基、アミン、又は可動電子を提供する芳香環のうちの１つ以上を含むことを特徴とする、請求項１又は２記載のガラス基板。
【請求項４】
前記有機膜が、炭素数２以上のアルキル基を有する、アルキルアンモニウム終端シランカップリング剤、芳香族化合物、又は炭素数２以上の長鎖アルキル基のうちの１つ以上を含むことを特徴とする、請求項１〜３いずれか１項記載のガラス基板。
【請求項５】
１０％以上のすべての相対湿度において、表面抵抗率の対数が、１６．５オーム／スクエア未満であることを特徴とする、請求項１〜４いずれか１項記載のガラス基板。
【請求項６】
２０ｍＭのＫＣｌ電極を用いて、中性ｐＨ及び室温において測定した、前記Ｂ面のゼータ電位が、−３０ｍＶ〜４０ｍＶの範囲であることを特徴とする、請求項１〜５いずれか１項記載のガラス基板。
【請求項７】
前記Ｂ面の水接触角が２５度より大きいことを特徴とする、請求項１〜６いずれか１項記載のガラス基板。
【請求項８】
ガラス製品を製造する方法であって、
Ａ面及びＢ面を有するガラス基板を形成するステップであって、前記Ａ面に電子素子を形成することができ、前記ガラス基板が、ボロアルミノシリケートを含み、２．４５ｇ／ｃｍ３未満の密度を有する、ステップと、
前記ガラス基板の前記Ｂ面に、均一な有機膜を形成するステップであって、前記有機膜が、接触帯電又は摩擦帯電による電圧の発生を抑制する成分を含む、ステップと、
を備えたことを特徴とする方法。
【請求項９】
前記有機膜が、湿式化学法を用いて、前記ガラス基板の前記Ｂ面を洗浄する間に形成されることを特徴とする、請求項８記載の方法。
【請求項１０】
トップゲート型薄膜トランジスタを、ボロアルミノシリケートガラス基板に直接作製する方法であって、
トランジスタを形成することができるＡ面、及び該Ａ面に対向するＢ面を有するガラス基板を用意するステップであって、前記Ｂ面が有機膜を備えた、ステップと、
シリコン被膜をＡ面に直接形成するステップと、
前記シリコン被膜をパターン化して、薄膜トランジスタのベースを形成するステップと、
前記薄膜トランジスタを形成するのに必要な形成ステップを継続するステップと、
を備えたことを特徴とする方法。
【請求項１１】
前記有機膜が、前記Ｂ面の親水性を低下させる有機化合物、プロトン化可能なアミン基又は他のカチオン基を含む有機化合物、前記ガラス基板Ｂ面の表面摩擦係数を低下させる有機化合物、表面電子移動度を向上させるオルガノシランを含む有機化合物、及びこれ等の組み合わせから成る群より選択される化合物を含むことを特徴とする、請求項１０記載の方法。
【請求項１２】
前記ガラス基板の前記Ｂ面のゼータ電位が、中性ｐＨにおいて、−３０ｍＶ〜４０ｍＶの範囲であることを特徴とする、請求項１０又は１１記載の方法。
【手続補正書】
【提出日】平成30年6月1日(2018.6.1)
【手続補正１】
【補正対象書類名】明細書
【補正対象項目名】０１２８
【補正方法】変更
【補正の内容】
【０１２８】
工程ｃ）において得られたアルミナゲルの懸濁液の最終アルミナ濃度が１０％未満である場合（アルミナＣ３）、顕著なマクロ多孔度は得られず（Ｖｍａｃｒｏ＝０．０ｍＬ／ｇ）、得られたアルミナは、もっぱらメソ細孔性である。
【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
脳の外傷性損傷（外傷性脳損傷）または脊髄の外傷性損傷（脊髄損傷）から生じる神経外傷性障害の処置の使用のための第ＸＩＩ因子（ＦＸＩＩ）の直接的インヒビターを含む医薬組成物であって、前記第ＸＩＩ因子（ＦＸＩＩ）インヒビターはＣ１エステラーゼインヒビターではない、前記医薬組成物。
【請求項２】
（ｉ）野生型インフェスチン−４ポリペプチド配列（配列番号１）または
（ａ）配列番号１のＮ末端アミノ酸２〜１３位の外側に１〜５のアミノ酸突然変異を含むように改変された配列番号１；
および／または
（ｂ）配列番号１との少なくとも７０％、８０％、８５％、９０％、９５％、９８％もしくは９９％の相同性および配列番号１由来の６つの保存されたシステイン残基の保持を含むポリペプチド配列、
（ｉｉ）野生型ＳＰＩＮＫ−１ポリペプチド配列（配列番号２）または
（ａ）Ｎ末端アミノ酸２〜１３位を配列番号１のＮ末端アミノ酸２〜１３と置き換えるように突然変異され；場合により、配列番号１の配列とのポリペプチド配列の相同性を増加する１〜５の追加のアミノ酸突然変異を含むようにさらに改変された配列番号２；
および／または
（ｂ）配列番号２との少なくとも７０％、８０％、８５％、９０％、９５％、９８％もしくは９９％の相同性および配列番号２由来の６つの保存されたシステイン残基の保持を含むポリペプチド配列
（ｉｉｉ）ＳＰＩＮＫ−１突然変異体Ｋ１、Ｋ２またはＫ３（配列番号３、４または５）の１つ；
および／または
（ｉｖ）抗ＦＸＩＩ抗体
を含む、請求項１に記載の医薬組成物。
【請求項３】
抗ＦＸＩＩ抗体が、
（ｉ）（ａ）配列番号８で示される重鎖ＣＤＲ１、配列番号１０で示される重鎖ＣＤＲ２および配列番号１２で示される重鎖ＣＤＲ３を含むＶＨ領域、
および／または
（ｂ）配列番号１３で示される軽鎖ＣＤＲ１、配列番号１４で示される軽鎖ＣＤＲ２および配列番号１６で示される軽鎖ＣＤＲ３を含むＶＬ領域、
または
（ｉｉ）（ａ）配列番号８で示される重鎖ＣＤＲ１、配列番号９で示される重鎖ＣＤＲ２および配列番号１１で示される重鎖ＣＤＲ３を含むＶＨ領域、
および／または
（ｂ）配列番号１３で示される軽鎖ＣＤＲ１、配列番号１４で示される軽鎖ＣＤＲ２および配列番号１５で示される軽鎖ＣＤＲ３を含むＶＬ領域、
または
（ｉｉｉ）配列番号６を含むＶＨ領域および配列番号７を含むＶＬ領域、
を含む、請求項２に記載の医薬組成物。
【請求項４】
抗ＦＸＩＩ抗体がＩｇＧ抗体である、請求項２〜３のいずれか１項に記載の医薬組成物。
【請求項５】
少なくとも１種のＦＸＩＩインヒビターが、ＰＥＧまたはアルブミン、アファミン、アルファ−フェトプロテイン、ビタミンＤ結合タンパク質、ヒトアルブミン、免疫グロブリンおよびＩｇＧのＦｃから選択される半減期強化ポリペプチドを含む融合パートナーと連結される、請求項１〜４のいずれか１項に記載の医薬組成物。
【請求項６】
半減期強化ポリペプチドが、リンカーを介してＦＸＩＩインヒビターと連結される、請求項５に記載の医薬組成物。
【請求項７】
リンカーペプチドを介してＦＸＩＩインヒビターと接合されたヒトアルブミンを含む融合タンパク質である、請求項５〜６のいずれか１項に記載の医薬組成物。
【請求項８】
静脈内、皮下、または随腔内に投与される、請求項１〜７のいずれか１項に記載の医薬組成物。
【請求項９】
（ｉ）注射もしくは注入として単回用量で、（ｉｉ）それぞれを注射もしくは注入として複数回用量で、または（ｉｉｉ）連続注入もしくは塗布として投与される、請求項１〜８のいずれか１項に記載の医薬組成物。
【請求項１０】
約０．０１から約１０００ｍｇ／ｋｇ体重、優先的には約１から約５００ｍｇ／ｋｇの範囲の濃度で投与される、請求項１〜９のいずれか１項に記載の医薬組成物。
【請求項１１】
外傷性損傷後に投与される、請求項１〜１０のいずれか１項に記載の医薬組成物。
【請求項１２】
ＦＸＩＩインヒビターの最初の投与が、外傷損傷の直後、または外傷損傷の２４時間後まで、好ましくは１２時間後まで、より好ましくは６時間後までに行われる、請求項１１に記載の医薬組成物。
【請求項１３】
少なくとも１回、少なくとも２回、少なくとも３回、少なくとも４回、または少なくとも５回投与される、請求項１〜１２のいずれか１項に記載の医薬組成物。
【請求項１４】
脊髄損傷および外傷性脳損傷から選択される神経外傷性障害の処置に使用するためのキットであって、
（ａ）少なくとも１種の直接的ＦＸＩＩインヒビター；
（ｂ）脳の外傷性損傷（外傷性脳損傷）または脊髄の外傷性損傷（脊髄損傷）から生じ
る神経外傷性障害の処置におけるキットの使用に関する取扱い説明書；および
（ｃ）場合により、少なくとも１種のさらなる治療用活性化合物または薬物
を含み、
ＦＸＩＩインヒビターもさらなる治療用活性化合物または薬物もＣ１エステラーゼインヒビターではない、前記キット。
【請求項１５】
さらなる治療用活性化合物または薬物が、ステロイド、特にコルチゾンである、請求項１４に記載のキット。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
鉄欠乏に関連した状態を治療するための医薬組成物であって、
有効量の生体適合性の酸化鉄ナノ粒子を含み、前記生体適合性の酸化鉄ナノ粒子は、それぞれ１種以上の生体適合性ポリマーによって覆われた酸化鉄コアを含み、そのそれぞれは、ポリエチレングリコール基、シラン基及びポリエチレングリコール基とシラン基とを共有結合を介して連結するリンカーを有する、
医薬組成物。
【請求項２】
前記状態は、鉄欠乏性貧血である、請求項１に記載の医薬組成物。
【請求項３】
前記酸化鉄コアは、２ｎｍ〜５０ｎｍの粒径を有し、前記ポリエチレングリコール基は、５個〜１０００個のオキシエチレン単位を有し、前記シラン基は、Ｃ１〜１０アルキレン基を含み、かつ前記リンカーは、Ｏ、Ｓ、Ｓｉ、Ｃ１〜Ｃ６アルキレン、２個のカルボニル基及び２個〜２０個の炭素原子を含むカルボニル部、又は以下の式：
【化１】
2017524670.tif 000001
の１つを有する基であり、式中、ｍ、ｎ、ｐ、ｑ及びｔはそれぞれ独立して１〜６であり、ＷはＯ、Ｓ又はＮＲｂであり、Ｌ１、Ｌ３、Ｌ５、Ｌ７及びＬ９はそれぞれ独立して結合、Ｏ、Ｓ又はＮＲｃであり、Ｌ２、Ｌ４、Ｌ６、Ｌ８及びＬ１０はそれぞれ独立して結合、Ｏ、Ｓ又はＮＲｄであり、かつＶはＯＲｅ、ＳＲｆ又はＮＲｇＲｈであり、ここで、Ｒａ、Ｒｂ、Ｒｃ、Ｒｄ、Ｒｅ、Ｒｆ、Ｒｇ及びＲｈはそれぞれ独立してＨ、ＯＨ、Ｃ１〜Ｃ１０オキシ脂肪族ラジカル、Ｃ１〜Ｃ１０一価脂肪族ラジカル、Ｃ１〜Ｃ１０一価複素脂肪族ラジカル、一価アリールラジカル、又は一価ヘテロアリールラジカルである、請求項１又は２に記載の医薬組成物。
【請求項４】
前記生体適合性の酸化鉄ナノ粒子は、それぞれ３ｎｍ〜１０００ｎｍの粒径を有する、請求項１〜３のいずれかに記載の医薬組成物。
【請求項５】
前記生体適合性の酸化鉄ナノ粒子は、それぞれ１５ｎｍ〜２００ｎｍの粒径を有する、請求項１〜４のいずれかに記載の医薬組成物。
【請求項６】
前記酸化鉄コアは、２ｎｍ〜５０ｎｍの粒径を有し、前記ポリエチレングリコール基は、１０個〜２００個のオキシエチレン単位を有し、前記シラン基は、Ｃ３〜Ｃ１０アルキレンを含み、かつ前記リンカーは、以下の式：
【化２】
2017524670.tif 000002
のカルボニル部である、請求項１〜５のいずれかに記載の医薬組成物。
【請求項７】
前記酸化鉄コアは、以下の式：
【化３】
2017524670.tif 000003
（式中、
ＲはＨ、Ｃ１〜Ｃ６アルキル基、Ｃ２〜Ｃ６アルケニル基、Ｃ２〜Ｃ６アルキニル基、Ｃ３〜Ｃ１０シクロアルキル基、Ｃ１〜Ｃ１０ヘテロシクロアルキル基、アリール基、ヘテロアリール基、Ｃ１〜Ｃ１０カルボニル基、又はＣ１〜Ｃ１０アミン基であり、
Ｌはリンカーであり、
ｍは１〜１０であり、かつ、
ｎは５〜１０００である）を有する１種以上の生体適合性ポリマーによって覆われている、請求項１〜６のいずれかに記載の医薬組成物。
【請求項８】
前記酸化鉄コアは、以下の式：
【化４】
2017524670.tif 000004
（式中、
Ｒ１はＨ、Ｃ１〜Ｃ６アルキル基、Ｃ２〜Ｃ６アルケニル基、Ｃ２〜Ｃ６アルキニル基、Ｃ３〜Ｃ１０シクロアルキル基、Ｃ１〜Ｃ１０ヘテロシクロアルキル基、アリール基、ヘテロアリール基、Ｃ１〜Ｃ１０カルボニル基、又はＣ１〜Ｃ１０アミン基であり、
Ｒ２はＨ、Ｃ１〜Ｃ６アルキル、Ｃ２〜Ｃ６アルケニル、Ｃ２〜Ｃ６アルキニル、Ｃ３〜Ｃ１０シクロアルキル、Ｃ１〜Ｃ１０ヘテロシクロアルキル、アリール又はヘテロアリールであり、
ｍは１〜１０であり、かつ、
ｎは５〜１０００である）を有する１種以上の生体適合性ポリマーによって覆われている、請求項１〜７のいずれかに記載の医薬組成物。
【請求項９】
Ｒ１はＨであり、Ｒ２はＨ、Ｃ１〜Ｃ６アルキル基、Ｃ１〜Ｃ１０カルボニル基又はＣ１〜Ｃ１０アミン基であり、ｍは３〜１０であり、かつｎは１０〜２００である、請求項８に記載の医薬組成物。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
ＢｏＮＴ／Ａ切断ＳＮＡＰ２５に対して優先的に結合する抗ＳＮＡＰ２５抗体。
【請求項２】
全長ＳＮＡＰ２５に対しては結合しない、請求項１に記載の抗ＳＮＡＰ２５抗体。
【請求項３】
組織において、ＢｏＮＴ／Ａ切断ＳＮＡＰ２５に対して優先的に結合できる、請求項１に記載の抗ＳＮＡＰ２５抗体。
【請求項４】
前記組織が生検試料である、請求項３に記載の抗ＳＮＡＰ２５抗体。
【請求項５】
配列番号１または配列番号２の軽鎖配列を含み、かつ組換えマウス抗体である、抗ＳＮＡＰ２５抗体。
【請求項６】
配列番号３または配列番号４の重鎖配列を含み、かつ組換えマウス抗体である、抗ＳＮＡＰ２５抗体。
【請求項７】
配列番号５または配列番号６の軽鎖配列を含み、かつ組換えヒト抗体である、抗ＳＮＡＰ２５抗体。
【請求項８】
配列番号７または配列番号８の重鎖配列を含み、かつ組換えヒト抗体である抗ＳＮＡＰ２５抗体。
【請求項９】
配列番号１〜８の配列を１つまたは複数含む重鎖及び／または軽鎖を有する抗体によって認識されるエピトープと同一のエピトープに結合する、抗ＳＮＡＰ２５抗体。
【請求項１０】
ＢｏＮＴ／Ａの酵素活性に対して組織試料が曝露されているかどうかを決定する方法であって、
ＢｏＮＴ／Ａの酵素活性に対して曝露された疑いがある組織試料と抗ＳＮＡＰ２５抗体とを接触させる工程、ここで、前記抗体は、ＢｏＮＴ／Ａ切断ＳＮＡＰ２５に対して優先的に結合する、及び
前記抗ＳＮＡＰ２５抗体が前記組織試料に対して結合したかどうかを検出する工程、ここで、前記組織試料に対して結合している前記抗ＳＮＡＰ２５抗体の存在が、前記組織試料がＢｏＮＴ／Ａ活性に対して曝露されていることを示す、
を含む、前記方法。
【請求項１１】
ＢｏＮＴ／Ａの酵素活性に対して組織が曝露されているかどうかを診断するキットであって、ＢｏＮＴ／Ａ切断ＳＮＡＰ２５に対して優先的に結合する抗ＳＮＡＰ２５抗体を含む、前記キット。
【手続補正書】
【提出日】平成30年5月11日(2018.5.11)
【手続補正１】
【補正対象書類名】特許請求の範囲
【補正対象項目名】全文
【補正方法】変更
【補正の内容】
【特許請求の範囲】
【請求項１】
二相層中における活性薬剤の濃度に依存しない様式で活性薬剤の透過速度を制御するための、親水性内部相および疎水性外部相を有する二相層の形態の活性薬剤含有層を有する経皮治療システムにおける添加剤の使用であって、
該内部相が添加剤およびその中に溶解している活性薬剤を含み、
該添加剤が該活性薬剤よりも水に対して高い親和性を有し、
該二相層中の活性薬剤の量に比例して透過速度が維持される、前記使用。
【請求項２】
前記添加剤は活性薬剤と固溶体を形成する、請求項１に記載の使用。
【請求項３】
前記活性薬剤は３超〜６のｌｏｇＰ値を有する、請求項１または２に記載の使用。
【請求項４】
前記活性薬剤は１ｍｇ／Ｌ〜１００ｍｇ／Ｌ未満の水溶性を有する、請求項１〜３のいずれか１項に記載の使用。
【請求項５】
活性薬剤は二相層の１％〜３０％の濃度で存在する、請求項１〜４のいずれか１項に記載の使用。
【請求項６】
前記活性薬剤は、ロチゴチン、フェンタニル、オキシブチニンおよびフェソテロジンからなる群から選択される、請求項１〜５のいずれか１項に記載の使用。
【請求項７】
活性薬剤は二相層の０．１ｍｇ／ｃｍ２〜１０．０ｍｇ／ｃｍ２の量で存在する、請求項１〜６のいずれか１項に記載の使用。
【請求項８】
前記添加剤は吸湿性組成物である、請求項１〜７のいずれか１項に記載の使用。
【請求項９】
前記添加剤は、１％〜６０％までの水を吸収することができる吸湿性ポリマーまたは吸湿性ポリマーの混合物である、または、
前記添加剤は、
−  ポリビニルピロリドン、
−  ビニルカプロラクタム、酢酸ビニルおよびエチレングリコールのコポリマー、
−  ビニルピロリドンおよび酢酸ビニルのコポリマー、
−  エチレンおよび酢酸ビニルのコポリマー、
−  ポリエチレングリコール、
−  ポリプロピレングリコール、
−  アクリルポリマー、
−  変性セルロース
からなる群から選択される吸湿性ポリマーまたは吸湿性ポリマーの混合物である、
請求項１〜８のいずれか１項に記載の使用。
【請求項１０】
前記添加剤の量は二相層の０．１ｍｇ／ｃｍ２〜１０．０ｍｇ／ｃｍ２の範囲である、請求項１〜９のいずれか１項に記載の使用。
【請求項１１】
前記添加剤は二相層中に１％〜２０％の濃度で存在する、請求項１〜１０のいずれか１項に記載の使用。
【請求項１２】
二相層は３０ｇ／ｍ２〜４００ｇ／ｍ２の面積重量を有する、請求項１〜１１のいずれか１項に記載の使用。
【請求項１３】
前記疎水性外部相は、ポリシロキサン、ポリイソブチレン、ポリアクリレート、スチレンとブタジエンのコポリマー、スチレンとイソプレンのコポリマーの群から選択される感圧接着性ポリマー（複数可）であるポリマーまたはポリマー混合物を含む感圧接着性組成物である、請求項１〜１２のいずれか１項に記載の使用。
【請求項１４】
患者の皮膚への１〜７日間の投与期間の間、経皮治療システムによって１〜７日間にわたって治療有効量の活性薬剤を提供する、請求項１〜１３のいずれか１項に記載の使用。
【請求項１５】
−  親水性内部相および疎水性外部相を有する二相層の形態の活性薬剤含有層を有する経皮治療システムを提供する工程であって、
該内部相が添加剤およびその中に溶解している活性薬剤を含み、
該添加剤が該活性薬剤よりも水に対して高い親和性を有する、前記工程、
−  該二相層の該内部相中の該活性薬剤の量を所望の投与期間に調節する工程
によって経皮治療システムの透過期間を調節する方法。
【請求項１６】
前記添加剤は活性薬剤と固溶体を形成する、請求項１５に記載の方法。
【請求項１７】
前記活性薬剤は３超〜６のｌｏｇＰ値を有する、請求項１５または１６のいずれか１項に記載の方法。
【請求項１８】
前記活性薬剤は１ｍｇ／Ｌ〜１００ｍｇ／Ｌ未満の水溶性を有する、請求項１５〜１７のいずれか１項に記載の方法。
【請求項１９】
活性薬剤は二相層の１％〜３０％の濃度で存在する、請求項１５〜１８のいずれか１項に記載の方法。
【請求項２０】
前記活性薬剤は、ロチゴチン、フェンタニル、オキシブチニンおよびフェソテロジンからなる群から選択される、請求項１５〜１９のいずれか１項に記載の方法。
【請求項２１】
活性薬剤は二相層の０．１ｍｇ／ｃｍ２〜１０．０ｍｇ／ｃｍ２の量で存在する、請求項１５〜２０のいずれか１項に記載の方法。
【請求項２２】
前記添加剤は吸湿性組成物である、請求項１５〜２１のいずれか１項に記載の方法。
【請求項２３】
前記添加剤は、１％〜６０％までの水を吸収することができる吸湿性ポリマーまたは吸湿性ポリマーの混合物である、または
前記添加剤は、
−  ポリビニルピロリドン、
−  ビニルカプロラクタム、酢酸ビニルおよびエチレングリコールのコポリマー、
−  ビニルピロリドンおよび酢酸ビニルのコポリマー、
−  エチレンおよび酢酸ビニルのコポリマー、
−  ポリエチレングリコール、
−  ポリプロピレングリコール、
−  アクリルポリマー、
−  変性セルロース
からなる群から選択される吸湿性ポリマーまたは吸湿性ポリマーの混合物である、
請求項１５〜２２のいずれか１項に記載の方法。
【請求項２４】
前記添加剤の量は二相層の０．１ｍｇ／ｃｍ２〜１０．０ｍｇ／ｃｍ２の範囲である、請求項１５〜２３のいずれか１項に記載の方法。
【請求項２５】
前記添加剤は二相層中に１％〜２０％の濃度で存在する、請求項１５〜２４のいずれか１項に記載の方法。
【請求項２６】
二相層は３０ｇ／ｍ２〜４００ｇ／ｍ２の面積重量を有する、請求項１５〜２５のいずれか１項に記載の方法。
【請求項２７】
前記疎水性外部相は、ポリシロキサン、ポリイソブチレン、ポリアクリレート、スチレンとブタジエンのコポリマー、スチレンとイソプレンのコポリマーの群から選択される感圧接着性ポリマー（複数可）であるポリマーまたはポリマー混合物を含む感圧接着性組成物である、請求項１５〜２６のいずれか１項に記載の方法。
【請求項２８】
患者の皮膚への１〜７日間の投与期間の間、経皮治療システムによって１〜７日間にわたって治療有効量の活性薬剤を提供する、請求項１５〜２７のいずれか１項に記載の方法。
【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
治療対象体内のＣ型肝炎ウイルスに対する免疫反応を誘導するための医薬組成物であって、
（ａ）１μｇ／ｍｌ〜１００μｇ／ｍｌのＣ型肝炎ウイルス関連抗原と、
（ｂ）２５μｇ／ｍｌ〜５００μｇ／ｍｌの配列5’-tcgacgttcgtcgttcgtcgttc-3’（配列番号１）を含有するＣｐＧオリゴヌクレオチドと、
（ｃ）２５μｇ／ｍｌ〜５００μｇ／ｍｌのアルミニウムアジュバントと、
を含む、医薬組成物。
【請求項２】
前記ＣｐＧオリゴヌクレオチドの配列は、5’-tcgacgttcgtcgttcgtcgttc-3’（配列番号１）である、請求項１に記載の医薬組成物。
【請求項３】
前記アルミニウムアジュバントは、水酸化アルミニウムを含む、請求項１に記載の医薬組成物。
【請求項４】
前記アルミニウムアジュバントの濃度は、２５μｇ／ｍｌ〜１２５μｇ／ｍｌ、又は１２５μｇ／ｍｌ〜５００μｇ／ｍｌ、又は１２５μｇ／ｍｌ〜４００μｇ／ｍｌ、又は１２５μｇ／ｍｌ〜３００μｇ／ｍｌ、又は２５０μｇ／ｍｌ〜５００μｇ／ｍｌ、又は３００μｇ／ｍｌ〜４００μｇ／ｍｌ、又は４００μｇ／ｍｌ〜５００μｇ／ｍｌ、又は３００μｇ／ｍｌ〜５００μｇ／ｍｌである、請求項１に記載の医薬組成物。
【請求項５】
前記配列5’-tcgacgttcgtcgttcgtcgttc-3’（配列番号１）を含有するＣｐＧオリゴヌクレオチドの濃度は、１２５μｇ／ｍｌ〜５００μｇ／ｍｌ、又は２５μｇ／ｍｌ〜１２５μｇ／ｍｌ、又は１２５μｇ／ｍｌ〜２５０μｇ／ｍｌ、又は２５０μｇ／ｍｌ〜５００μｇ／ｍｌである、請求項１に記載の医薬組成物。
【請求項６】
前記抗原の濃度は、２０μｇ／ｍＬである、請求項１に記載の医薬組成物。
【請求項７】
前記抗原の濃度が２０μｇ／ｍＬで、前記ＣｐＧオリゴヌクレオチドの濃度が５００μｇ／ｍｌで、前記アルミニウムアジュバントの濃度が２５μｇ／ｍｌであり、又は
前記抗原の濃度が２０μｇ／ｍｌで、前記アルミニウムアジュバントの濃度が２５μｇ／ｍｌで、前記ＣｐＧ−ＯＤＮの濃度が１２５μｇ／ｍｌであり、又は
前記抗原の濃度が２０μｇ／ｍｌで、前記アルミニウムアジュバントの濃度が１２５μｇ／ｍｌで、前記ＣｐＧ−ＯＤＮの濃度が２５μｇ／ｍｌであり、又は
前記抗原の濃度が２０μｇ／ｍｌで、前記アルミニウムアジュバントの濃度が３００μｇ／ｍｌで、前記ＣｐＧ−ＯＤＮの濃度が１２５μｇ／ｍｌであり、又は
前記抗原の濃度が２０μｇ／ｍｌで、前記アルミニウムアジュバントの濃度が４００μｇ／ｍｌで、前記ＣｐＧ−ＯＤＮの濃度が１２５μｇ／ｍｌであり、又は
前記抗原の濃度が２０μｇ／ｍｌで、前記アルミニウムアジュバントの濃度が１２５μｇ／ｍｌで、前記ＣｐＧ−ＯＤＮの濃度が５００μｇ／ｍｌである、請求項１に記載の医薬組成物。
【請求項８】
薬学的に許容される賦形剤をさらに含む、請求項１〜７のいずれか１項に記載の医薬組成物。
【請求項９】
請求項１〜８のいずれか１項に記載の医薬組成物の、治療対象体内のＣ型肝炎ウイルス抗原に対する免疫反応を誘導するための薬剤の製造における使用。
【請求項１０】
前記薬剤は、Ｃ型肝炎ワクチンである、請求項９に記載の使用。
【請求項１１】
前記薬剤は、非経口投与のための剤形、経口投与のための剤形、又は経皮投与のための剤形に調製される、請求項９に記載の使用。
【請求項１２】
前記非経口投与のための剤形は、注射剤である、請求項１１に記載の使用。
【請求項１３】
前記経口投与のための剤形は、錠剤、丸薬、カプセル、ゲル、シロップ、スラリー、及び懸濁液から選択される、請求項１１に記載の使用。
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
疾患又は病態を患っている対象において細胞毒性を誘発するための、前記対象の細胞に特異的に結合し、リガンド、ペプチド又は小分子からなる群より選ばれるプローブにコンジュゲートしたＩＲＤｙｅ（登録商標）７００ＤＸのフタロシアニン染料を含む治療的に有効な薬剤であって、当該プローブは約１０ｋＤａ未満の分子量を有し、前記誘発は、
（ａ）前記治療的に有効な薬剤を前記対象に投与し；そして、
（ｂ）アポトーシスによる細胞死を誘発するのに有効な量で適切な励起光を前記細胞に照射すること、
によって行われる、薬剤。
【請求項２】
（ｉ）前記疾患又は病態が、血管疾患、癌、細菌性バイオフィルムに起因する感染、抗生物質抵抗性創傷感染、光線性角化症、酒さ、にきび、乾癬、及び滲出型加齢性黄斑変性症から成る群から選択されるか、あるいは、
（ii）前記疾患又は病態が、乳癌、結腸直腸癌、食道癌、肺癌、前立腺癌、子宮頚癌、卵巣癌、胃癌、膵臓癌、肝臓癌、膀胱癌、脳腫瘍、頭頚部癌、神経内分泌系の癌、皮膚癌、及びその組み合わせから成る群から選択される、請求項１に記載の薬剤。
【請求項３】
前記対象が、固形腫瘍を患っているか又は固形腫瘍を患っていた、請求項１に記載の薬剤。
【請求項４】
前記細胞が固形腫瘍内又は対象の血中に存在している、請求項３に記載の薬剤。
【請求項５】
前記励起光が６６０〜７４０ｎｍの波長を有する、請求項１に記載の薬剤。
【請求項６】
前記リガンドがＥＧＦである、請求項１に記載の薬剤。
【請求項７】
前記ペプチドが、ＹＣ−２７、ｃＲＧＤｆＫ、血管作動性小腸ペプチド、ガストリン放出ペプチド、ニューロテンシン、ＡＨ１１１５８５、ＦＰＰＲＧＤ２、ＰＫ１１１９５、ＳＰＡＲＣ、ボンベシン、ニューロテンシン、サブスタンスＰ、ソマトスタチン、コレシストキニン、グルカゴン様ペプチド−１、ニューロペプチドＹ、オクトレオチド、ＤＯＴＡ−ＴＯＣ、ＤＯＴＡ−ＴＡＴＥ、エキセンジン−４、ソリシジン、ＳＯＲ-１３、ＳＣＲ−Ｃ２７、その類似体、その誘導体、及びその組み合わせから成る群から選択される、請求項１に記載の薬剤。
【請求項８】
前記小分子が、ＶＥＧＦＲ阻害剤、ＴＮＦＲ１阻害剤、成長因子受容体阻害剤、及びその組み合わせから成る群から選択される、請求項１に記載の薬剤。
【請求項９】
前記小分子ＶＥＧＦＲ阻害剤が、パゾパニブ、セマキシニブ、アキシチニブ、カボザンチニブ、アフリベルセプト、ブリバニブ、チボザニブ、ラムシルマブ、モテサニブ、バタラニブ、セジラニブ、及びその組み合わせから成る群から選択される、請求項８に記載の薬剤。
【請求項１０】
前記プローブが放射性核種にコンジュゲートされ、前記プローブがフルオロフォアにコンジュゲートされる、請求項１に記載の薬剤。
【請求項１１】
前記プローブが、ＤＴＰＡ−オクトレオチド、［Ｇｌｕｃ−Ｌｙｓ］−ＴＯＣＡ、ガラクト−ＲＧＤ、ＡＨ１１１５８５、ＲＧＤ−Ｋ５、ＦＰＰＲＧＤ２、ＲＰ−５２７、ＢＺＨ３、［ＤＴＰＡ−Ｌｙｓ４０］−エキセンジン−４、及びＴｃ−ＮＴ−Ｘ１から成る群
から選択されるメンバーである、請求項１０に記載の薬剤。
【請求項１２】
前記ステップ（ａ）の投与が、治療的に有効な薬剤を対象の血中に注射することを含む
、請求項１に記載の薬剤。
【請求項１３】
前記ステップ（ｂ）の照射が、近赤外（ＮＩＲ）発光ダイオードを備えたデバイスを使用することを含む、請求項１に記載の薬剤。
【請求項１４】
抗癌剤を対象に投与することを更に含む、請求項１に記載の薬剤。
【請求項１５】
前記ペプチドはクロロトキシンである、請求項１に記載の薬剤。